(57)【要約】【課題】  バイオセンサの提供。【解決手段】  ディスポーザブル検出装置を通して検査サンプルを測定するバイオセンサであり、この装置は、電源制御ユニット、参考電圧ユニット、温度検出ユニット、主制御ユニット、表示ユニット、入力ユニット及びメモリユニットで構成され、該参考電圧ユニットが連続性方形波電圧をディスポーザブル検出装置の二つの電極に印加し、検査サンプルをディスポーザブル検出装置の二つの電極間に加え、二つの電極に通路を形成させ、反応エリアの試薬との反応終了後に、多点電流値を測定し、並びに正確度の最良の条件を選択し、並びに表示ユニットに表示する。これらの条件は主制御ユニット或いは主制御ユニットに接続された他の装置に設定できる。【選択図】        図１
0003111449.tif 000002
【実用新案登録請求の範囲】
【請求項１】
ディスポーザブル検出装置を通して検査サンプルを測定するバイオセンサであり、電源制御ユニット、参考電圧ユニット、温度検出ユニット、主制御ユニット、表示ユニット、入力ユニット及びメモリユニットで構成され、
ディスポーザブル検出装置をバイオセンサのスロットに挿入した後、バイオセンサを起動し、この時、参考電圧ユニットが連続性方形波電圧をディスポーザブル検出装置の二つの電極に印加し、二つの電極間に検査サンプルがない時は、該ディスポーザブル検出装置の二つの電極間は切断状態とされ、ゆえに二つの電極間に電流は発生せず、
検査サンプルがディスポーザブル検出装置の二つの電極の反応エリアに加えられる時、二つの電極の反応エリアは切断の状態から通路を形成し、電流値が予め設定されたしきい値より大きければ、バイオセンサは二つの電極間に印加する電圧を設定値まで下げ、これにより電流値が下降し、
検査サンプルと反応エリア内の試薬が反応し、反応時間は主制御ユニット或いは主制御ユニットに接続された他の装置に設定可能であり、
反応時間が終了すると、測定段階に進入し、通電の電圧及び回数は測定されるサンプルの違いにより改変され、多点電流値を利用し、正確な最適の条件を選択し、この条件は、主制御ユニット或いは主制御ユニットに接続された他の装置に設定可能であることを特徴とする、バイオセンサ。
【請求項２】
請求項１記載のバイオセンサにおいて、参考電圧ユニットはディスポーザブル検出装置（Ｓｔｒｉｐ）の種類により異なる効果の参考電圧、例えば単一電源、マルチ電源をディスポーザブル検出装置に提供し、更に異なる種類の周波数の切り換えを行なえ、更に連続性の方形波を提供可能で、これは主制御ユニット或いは主制御ユニットに接続された他の装置が与えるパラメータにより決定され、これにより一台で多用の機能を達成することを特徴とする、バイオセンサ。
【請求項３】
請求項１記載のバイオセンサにおいて、主制御ユニットが、
電源制御ユニット１に接続された増幅器と、
上述の増幅器と温度検出ユニットに接続されたアナログ／デジタル変換器と、
上述のアナログ／デジタル変換器に接続されたマイクロプロセッサと、
該マイクロプロセッサに接続されたメモリと、
上述のマイクロプロセッサと表示ユニットに接続されたドライバと、
上述のマイクロプロセッサ、入力ユニット及びメモリユニットに接続された入出力ポートで構成されたことを特徴とする、バイオセンサ。
【請求項４】
請求項１記載のバイオセンサにおいて、表示ユニットがディスプレイとされて、バイオセンサが測定した各種のデータを表示するのに用いられることを特徴とする、バイオセンサ。
【請求項５】
請求項１記載のバイオセンサにおいて、入力ユニットが複数のキーで構成されて操作命令の入力に供されることを特徴とする、バイオセンサ。
【請求項６】
請求項１記載のバイオセンサにおいて、メモリユニットがＥＥＰＲＯＭとされて、バイオセンサの測定したデータの保存に用いられることを特徴とする、バイオセンサ。
【考案の詳細な説明】
【技術分野】
【０００１】
本考案はバイオセンサに係り、特に、ディスポーザブル検出装置の種類により異なる効果の参考電圧をディスポーザブル検出装置に提供し、また多点電流値の測定方式を利用し、最良条件を選択し、検査サンプルの正確な測定を達成する、バイオセンサに関する。
【背景技術】
【０００２】
周知のとおり、現在、バイオセンサは血液中に含まれるブドウ糖、コレステロール、及びヘムの測定に用いられる。バイオセンサにディスポーザブル検出装置が挿入されて、血液がディスポーザブル検出装置の反応エリアに滴下された後に、反応エリアの二つの電極を通電させることで、バイオセンサが入力信号に対して測定分析を行ない、ブドウ糖、コレステロール、ヘム濃度を有効に分析する。
【０００３】
テクノロジーの不断の進歩により多くのバイオセンサが発展しているが、測定の因子はディスポーザブル検出装置製作の影響を受け、往々にしてバイオセンサ内部のハードウエア設計はディスポーザブル検出装置と足並みが揃わず、使用者がバイオセンサを交換する時、相互の間でディスポーザブル検出装置を互換使用できず、このため一種類のディスポーザブル検出装置には一種類のバイオセンサを組み合わせる必要がある。
【０００４】
次に、更に一種のバイオセンサがあり、この装置は測定時にセンサがディスポーザブル検出装置の二つの電極に印加する参考電圧が非連続の方形波とされ、且つ電流値の測定はただ１点であり、このため測定後に表示されるデータの精度が不足する。
【考案の開示】
【考案が解決しようとする課題】
【０００５】
本考案の主要な目的は、上述の欠点を解決し、欠点の存在を無くすことにあり、本考案はバイオセンサの新たな設計を提供し、バイオセンサの精度を高めるものである。
【課題を解決するための手段】
【０００６】
請求項１の考案は、ディスポーザブル検出装置を通して検査サンプルを測定するバイオセンサであり、電源制御ユニット、参考電圧ユニット、温度検出ユニット、主制御ユニット、表示ユニット、入力ユニット及びメモリユニットで構成され、
ディスポーザブル検出装置をバイオセンサのスロットに挿入した後、バイオセンサを起動し、この時、参考電圧ユニットが連続性方形波電圧をディスポーザブル検出装置の二つの電極に印加し、二つの電極間に検査サンプルがない時は、該ディスポーザブル検出装置の二つの電極間は切断状態とされ、ゆえに二つの電極間に電流は発生せず、
検査サンプルがディスポーザブル検出装置の二つの電極の反応エリアに加えられる時、二つの電極の反応エリアは切断の状態から通路を形成し、電流値が予め設定されたしきい値より大きければ、バイオセンサは二つの電極間に印加する電圧を設定値まで下げ、これにより電流値が下降し、
検査サンプルと反応エリア内の試薬が反応し、反応時間は主制御ユニット或いは主制御ユニットに接続された他の装置に設定可能であり、
反応時間が終了すると、測定段階に進入し、通電の電圧及び回数は測定されるサンプルの違いにより改変され、多点電流値を利用し、正確な最適の条件を選択し、この条件は、主制御ユニット或いは主制御ユニットに接続された他の装置に設定可能であることを特徴とする、バイオセンサとしている。
請求項２の考案は、請求項１記載のバイオセンサにおいて、参考電圧ユニットはディスポーザブル検出装置（Ｓｔｒｉｐ）の種類により異なる効果の参考電圧、例えば単一電源、マルチ電源をディスポーザブル検出装置に提供し、更に異なる種類の周波数の切り換えを行なえ、更に連続性の方形波を提供可能で、これは主制御ユニット或いは主制御ユニットに接続された他の装置が与えるパラメータにより決定され、これにより一台で多用の機能を達成することを特徴とする、バイオセンサとしている。
請求項３の考案は、請求項１記載のバイオセンサにおいて、主制御ユニットが、
電源制御ユニット１に接続された増幅器と、
上述の増幅器と温度検出ユニットに接続されたアナログ／デジタル変換器と、
上述のアナログ／デジタル変換器に接続されたマイクロプロセッサと、
該マイクロプロセッサに接続されたメモリと、
上述のマイクロプロセッサと表示ユニットに接続されたドライバと、
上述のマイクロプロセッサ、入力ユニット及びメモリユニットに接続された入出力ポートで構成されたことを特徴とする、バイオセンサとしている。
請求項４の考案は、請求項１記載のバイオセンサにおいて、表示ユニットがディスプレイとされて、バイオセンサが測定した各種のデータを表示するのに用いられることを特徴とする、バイオセンサとしている。
請求項５の考案は、請求項１記載のバイオセンサにおいて、入力ユニットが複数のキーで構成されて操作命令の入力に供されることを特徴とする、バイオセンサとしている。
請求項６の考案は、請求項１記載のバイオセンサにおいて、メモリユニットがＥＥＰＲＯＭとされて、バイオセンサの測定したデータの保存に用いられることを特徴とする、バイオセンサとしている。
【考案の効果】
【０００７】
本考案は一種のバイオセンサを提供し、それはディスポーザブル検出装置を通して検査サンプルを測定するバイオセンサであり、この装置は、電源制御ユニット、参考電圧ユニット、温度検出ユニット、主制御ユニット、表示ユニット、入力ユニット及びメモリユニットで構成され、該参考電圧ユニットが連続性方形波電圧をディスポーザブル検出装置の二つの電極に印加し、検査サンプルをディスポーザブル検出装置の二つの電極間に加え、二つの電極に通路を形成させ、反応エリアの試薬との反応終了後に、多点電流値を測定し、並びに正確度の最良の条件を選択し、並びに表示ユニットに表示する。これらの条件は主制御ユニット或いは主制御ユニットに接続された他の装置に設定できる。
【考案を実施するための最良の形態】
【０００８】
図１は本考案のバイオセンサのブロック図である。図示されるように、本考案のバイオセンサは、一種のセンサを具えた電子測定装置を提供するものであり、それは、電源制御ユニット１、参考電圧ユニット２、温度検出ユニット３、主制御ユニット４、表示ユニット５、入力ユニット６及びメモリユニット７で構成されている。
【０００９】
上述の参考電圧ユニット２は、ディスポーザブル検出装置（Ｓｔｒｉｐ）種類により異なる効果の参考電圧、例えば単一電源、マルチ電源をディスポーザブル検出装置に加え、さらには異なる周波数の切り換えを行なえ、さらに連続性の方形波を提供でき、主制御ユニット或いは主制御ユニットに接続されたその他の装置が提供するパラメータにより決定され、それにより一台で多用の効果を提供し、ディスポーザブル検出装置の特性の変化により測定機器の設計を更新する必要、或いは工場に戻して新たに調整する必要を無くす。
【００１０】
主制御ユニット４はまた、電源制御ユニット１に接続された増幅器４１と、
上述の増幅器４１と温度検出ユニット３に接続されたアナログ／デジタル変換器４２と、
上述のアナログ／デジタル変換器４２に接続されたマイクロプロセッサ４３と、
該マイクロプロセッサ４３に接続されたメモリ４４と、
上述のマイクロプロセッサ４３と表示ユニット５に接続されたドライバ４５と、
上述のマイクロプロセッサ４３、入力ユニット６及びメモリユニット７に接続された入出力ポート４６で構成されている。
【００１１】
該表示ユニット５はディスプレイとされて、バイオセンサが測定した各種のデータを表示するのに用いられる。
【００１２】
該入力ユニット６は、複数のキーで構成されて操作命令の入力に供される。
【００１３】
該メモリユニット７は、ＥＥＰＲＯＭとされ得て、バイオセンサの測定したデータの保存に用いられる。
【００１４】
図１、２、３を参照されたい。図２は本考案の装置の提供する連続方形波電圧値表示図、図３は本考案の装置の測定電流値表示図である。図示されるように、ディスポーザブル検出装置をバイオセンサのスロットに挿入した後、バイオセンサを起動する。この時、バイオセンサの電源制御ユニット１が参考電圧ユニット２を制御して連続性方形波電圧をディスポーザブル検出装置の二つの電極に印加し、二つの電極間に検査サンプル（血液、尿）がない時は、該ディスポーザブル検出装置の二つの電極間は切断状態とされ、ゆえに二つの電極間には電流は発生せず、この時、バイオセンサは検査サンプルがディスポーザブル検出装置の二つの電極の反応エリアに添加されるのを待つ（図２、３のａ点）。
【００１５】
検査サンプルがディスポーザブル検出装置の二つの電極の反応エリアに加えられる時、二つの電極の反応エリアは切断の状態から通路を形成し、電流値が予め設定されたしきい値より大きければ、バイオセンサは二つの電極間に印加する電圧を設定値まで下げ、これにより電流値が下降する（図２、３のｂ点）。
【００１６】
この時、検査サンプルと反応エリア内の試薬が反応し、反応時間は主制御ユニット或いは主制御ユニットに接続された他の装置に設定可能である（図２、３のｃ点）。
【００１７】
反応時間が終了すると、測定段階に進入し、通電の電圧及び回数は測定されるサンプルの違いにより改変され、例えばブドウ糖である時は、２−５回通電し、その電圧は４００ｍＶから漸減し、毎回５０ｍＶ減少し（図２、３のｄ点）、血液中のブドウ糖濃度を測定するなら、０．５秒毎に１点の電流値を読み取り、総反応時間が５秒であれば、得られる電流値は９組（第０．５秒、第１．０秒、第１．５秒、第２．０秒、第２．５秒、第３．０秒、第３．５秒、第４．０秒、第４．５秒、第５．０秒）である。ただし、実際の実験で得られた結果を考慮し、一つの精度が最良の条件を選択し、並びに表示ユニット５に表示し、これらの条件は主制御ユニット或いは主制御ユニットに接続された他の装置に設定されうる。
【００１８】
これにより、多点電流値測定の後、主制御ユニット４で処理して正確な値を表示ユニット５に表示できる。
【００１９】
以上は本考案の実施範囲を限定するものではなく、本考案に基づきなしうる細部の修飾或いは改変は、いずれも本考案の請求範囲に属するものとする。
【図面の簡単な説明】
【００２０】
【図１】本考案のバイオセンサのブロック図である。
【図２】本考案のバイオセンサの連続方形波電圧値表示図である。
【図３】本考案のバイオセンサの測定電流値表示図である。
【符号の説明】
【００２１】
１  電源制御ユニット        ２  参考電圧ユニット
３  温度検出ユニット        ４  主制御ユニット
４１  増幅器                ４２  アナログ／デジタル変換器
４３  マイクロプロセッサ    ４４  メモリ
４５  ドライバ              ４６  入出力ポート
５  表示ユニット            ６  入力ユニット
７  メモリユニット
【図１】
0003111449.tif 000003
【図２】
0003111449.tif 000004
【図３】
0003111449.tif 000005